(57)【要約】【課題】上り回線指定チャネルで再伝送パケットのための伝送電力を制御する方法を提供する。【解決手段】ＨＡＲＱを用いて伝送フォーマット組合セット（ＴＦＣＳ）に基づくデータパケットを伝送する方法において、使用者機器はデータパケットを再伝送するために伝送フォーマット組合（ＴＦＣ）を選択するために基地局から前記伝送フォーマット組合セットを受信する。そして、前記伝送フォーマット組合セットから、前記データパケットが再伝送される最大伝送電力に相応する伝送フォーマット組合を選択する。そして、初期伝送の伝送フォーマット組合及び前記伝送フォーマット組合セットで前記最大伝送電力を持つ前記伝送フォーマット組合に相応する伝送電力を用いて前記データパケットを再伝送する。【選択図】図１
2008514104.tif 000002
【特許請求の範囲】
【請求項１】
ＨＡＲＱ（ｈｙｂｒｉｄ  ａｕｔｏｍａｔｉｃ  ｒｅｐｅａｔ  ｒｅｑｕｅｓｔ）を用いて伝送フォーマット組合セット（ｔｒａｎｓｐｏｒｔ  ｆｏｒｍａｔ  ｃｏｍｂｉｎａｔｉｏｎ  ｓｅｔ：ＴＦＣＳ）に基づくデータパケットを伝送する方法において、
データパケットを再伝送するための伝送フォーマット組合（ｔｒａｎｓｐｏｒｔ  ｆｏｒｍａｔ  ｃｏｍｂｉｎａｔｉｏｎ：ＴＦＣ）を選択するために、基地局から前記伝送フォーマット組合セットを受信する段階と、
前記伝送フォーマット組合セットから、前記データパケットが再伝送される最大伝送電力に相応する伝送フォーマット組合を選択する段階と、
初期伝送の伝送フォーマット組合及び前記伝送フォーマット組合セットで前記最大伝送電力を持つ前記伝送フォーマット組合に相応する伝送電力を用いて前記データパケットを再伝送する段階と、
を含む、データパケット伝送方法。
【請求項２】
前記基地局から、データ伝送のための伝送フォーマット組合を選択するために伝送フォーマット組合セットを受信する段階と、
前記データパケットが伝送される伝送電力に相応する前記伝送フォーマット組合を選択する段階と、
前記選択された伝送フォーマット組合に相応する伝送電力を用いて前記データパケットを伝送する段階と、
をさらに含むことを特徴とする、請求項１に記載のデータパケット伝送方法。
【請求項３】
前記データパケットを伝送した後に、前記基地局からＮＡＣＫ（Ｎｅｇａｔｉｖｅ  Ａｃｋｎｏｗｌｅｄｇｍｅｎｔ）信号を受信する段階をさらに含むことを特徴とする、請求項２に記載のデータパケット伝送方法。
【請求項４】
前記ＮＡＣＫ信号は、前記基地局から受信したデータパケットのデコーディング成否を表すことを特徴とする、請求項３に記載のデータパケット伝送方法。
【請求項５】
前記伝送フォーマット組合セットは、最大伝送電力に相応する伝送フォーマット組合及び最小伝送電力に相応する伝送フォーマット組合を含むことを特徴とする、請求項１に記載のデータパケット伝送方法。
【請求項６】
前記データパケットは、拡張指定チャネル（Ｅｎｈａｎｃｅｄ  Ｄｅｄｉｃａｔｅｄ  Ｃｈａｎｎｅｌ：Ｅ−ＤＣＨ）パケットであることを特徴とする、請求項１に記載のデータパケット伝送方法。
【請求項７】
前記データパケットを再伝送するための前記伝送フォーマット組合に相応する最大伝送電力は、前記初期伝送の伝送フォーマット組合に相応する最大伝送電力よりも小さい、または、等しいことを特徴とする、請求項１に記載のデータパケット伝送方法。
【請求項８】
前記データパケットは、拡張指定チャネル（Ｅｎｈａｎｃｅｄ  Ｄｅｄｉｃａｔｅｄ  Ｃｈａｎｎｅｌ：Ｅ−ＤＣＨ）を通じて伝送されることを特徴とする、請求項１に記載のデータパケット伝送方法。
【請求項９】
ＨＡＲＱ（ｈｙｂｒｉｄ  ａｕｔｏｍａｔｉｃ  ｒｅｐｅａｔ  ｒｅｑｕｅｓｔ）を用いてデータパケットを伝送するために伝送フォーマット組合セット（ｔｒａｎｓｐｏｒｔ  ｆｏｒｍａｔ  ｃｏｍｂｉｎａｔｉｏｎ  ｓｅｔ：ＴＦＣＳ）をスケジューリングする方法において、
前記データパケットを伝送するための伝送フォーマット組合（ｔｒａｎｓｐｏｒｔ  ｆｏｒｍａｔ  ｃｏｍｂｉｎａｔｉｏｎ：ＴＦＣ）を選択するために、基地局から第１伝送フォーマット組合セットを受信する段階と、
前記データパケットが伝送される伝送電力に相応する伝送フォーマット組合を、前記第１伝送フォーマット組合セットから選択する段階と、
前記選択された伝送フォーマット組合に相応する伝送電力を用いて前記データパケットを伝送する段階と、
前記データパケットを再伝送するための伝送フォーマット組合を選択するために第２伝送フォーマット組合セットを受信する段階と、
前記データパケットが再伝送される最大伝送電力に相応する伝送フォーマット組合を、前記第２伝送フォーマット組合セットから選択する段階と、
前記第１伝送の伝送フォーマット組合及び前記第２伝送フォーマット組合セットの最大伝送電力を持つ伝送フォーマット組合に相応する伝送電力を用いて、前記データパケットを伝送する段階、
を含む、スケジューリング方法。
【請求項１０】
ＨＡＲＱ（ｈｙｂｒｉｄ  ａｕｔｏｍａｔｉｃ  ｒｅｐｅａｔ  ｒｅｑｕｅｓｔ）を用いて伝送フォーマット組合セット（ｔｒａｎｓｐｏｒｔ  ｆｏｒｍａｔ  ｃｏｍｂｉｎａｔｉｏｎ  ｓｅｔ：ＴＦＣＳ）に基づくデータパケットを受信する方法において、
各使用者機器に第２伝送フォーマット組合セットを伝送するものの、前記第２伝送フォーマット組合セットは、前記データパケットを再伝送するための伝送フォーマット組合（ｔｒａｎｓｐｏｒｔ  ｆｏｒｍａｔ  ｃｏｍｂｉｎａｔｉｏｎ：ＴＦＣ）を決定するために前記使用者機器で用いられ、前記伝送フォーマット組合は、前記データパケットが再伝送される伝送電力に相応することを特徴とする伝送段階と、
第１伝送と同じ伝送フォーマット組合及び前記第２伝送フォーマット組合セットの伝送フォーマット組合に相応する伝送電力を持つ前記再伝送されるデータパケットを受信する段階と、
を含む、データパケット受信方法。
【請求項１１】
前記使用者機器が前記データパケットを伝送するための伝送フォーマット組合を決定するように各使用者機器に第１伝送フォーマット組合セットを伝送する段階と、
前記使用者機器から伝送された前記データパケットをデコーディングする段階と、
前記使用者機器が前記第１データパケットを再伝送するように要請するためにＮＡＣＫ（Ｎｅｇａｔｉｖｅ  Ａｃｋｎｏｗｌｅｄｇｍｅｎｔ）信号を伝送する段階と、
をさらに含むことを特徴とする、請求項１０に記載のデータパケット受信方法。
【請求項１２】
前記伝送フォーマット組合セットは、最大伝送電力に相応する伝送フォーマット組合及び最小伝送電力に相応する伝送フォーマット組合を含むことを特徴とする、請求項１０に記載のデータパケット受信方法。
【請求項１３】
前記データパケットは、拡張指定チャネル（Ｅｎｈａｎｃｅｄ  Ｄｅｄｉｃａｔｅｄ  Ｃｈａｎｎｅｌ：Ｅ−ＤＣＨ）パケットであることを特徴とする、請求項１０に記載のデータパケット受信方法。
【請求項１４】
前記ＮＡＣＫ信号は、前記受信されたデータパケットのデコーディング成否を表すことを特徴とする、請求項１０に記載のデータパケット受信方法。
【請求項１５】
前記データパケットを再伝送するための第２伝送フォーマット組合セットの伝送フォーマット組合に相応する最大伝送電力は、前記データパケットの伝送のための第１伝送フォーマット組合セットの伝送フォーマット組合に相応する最大伝送電力よりも小さい、または、等しいことを特徴とする、請求項１０に記載のデータパケット受信方法。
【請求項１６】
前記データパケットは、拡張指定チャネル（Ｅｎｈａｎｃｅｄ  Ｄｅｄｉｃａｔｅｄ  Ｃｈａｎｎｅｌ：Ｅ−ＤＣＨ）を通じて伝送されることを特徴とする、請求項１０に記載のデータパケット受信方法。
【請求項１７】
ＨＡＲＱ（ｈｙｂｒｉｄ  ａｕｔｏｍａｔｉｃ  ｒｅｐｅａｔ  ｒｅｑｕｅｓｔ）を用いるデータパケット伝送のために伝送フォーマット組合セット（ｔｒａｎｓｐｏｒｔ  ｆｏｒｍａｔ  ｃｏｍｂｉｎａｔｉｏｎ  ｓｅｔ：ＴＦＣＳ）をスケジューリングする方法において、
使用者機器が前記データパケットを伝送するために伝送フォーマット組合（ｔｒａｎｓｐｏｒｔ  ｆｏｒｍａｔ  ｃｏｍｂｉｎａｔｉｏｎ：ＴＦＣ）を決定するように各前記使用者機器に第１伝送フォーマット組合セットを伝送する段階と、
前記使用者機器から伝送された前記データパケットをデコーディングする段階と、
前記使用者機器が前記データパケットを再伝送するように要請するためにＮＡＣＫ（Ｎｅｇａｔｉｖｅ  Ａｃｋｎｏｗｌｅｄｇｍｅｎｔ）信号を伝送する段階と、
各前記使用者機器に第２伝送フォーマット組合セットを伝送するものの、前記第２伝送フォーマット組合セットは、前記使用者機器が前記データパケットを再伝送するための伝送フォーマット組合を決定するために用いられ、前記伝送フォーマット組合は、前記データパケットが再伝送される伝送電力に相応することを特徴とする伝送段階と、
初期伝送と同じ伝送フォーマット組合及び前記第２伝送フォーマット組合セットの伝送フォーマット組合に相応する伝送電力を持つ再伝送されたデータパケットを受信する段階と、
を含む、スケジューリング方法。
【請求項１８】
ＨＡＲＱ（ｈｙｂｒｉｄ  ａｕｔｏｍａｔｉｃ  ｒｅｐｅａｔ  ｒｅｑｕｅｓｔ）を用いて伝送電力に基づくデータパケットを伝送する方法において、
前記データパケットを再伝送するための伝送電力の範囲を受信する段階と、
前記データパケットを再伝送するための伝送電力の範囲から最大伝送電力を選択する段階と、
初期伝送の伝送フォーマット組合（ｔｒａｎｓｐｏｒｔ  ｆｏｒｍａｔ  ｃｏｍｂｉｎａｔｉｏｎ：ＴＦＣ）及び前記選択された伝送電力を用いて前記データパケットを再伝送するものの、前記初期伝送は前記データパケットを伝送するために用いられる再伝送段階と、
を含む、データパケット伝送方法。
【請求項１９】
前記データパケットを伝送するための伝送電力の範囲を受信する段階と、
前記データパケットを伝送するための伝送電力の範囲から伝送電力を選択する段階と、
前記選択された伝送電力及び前記選択された伝送電力に相応する伝送フォーマット組合を用いて前記データパケットを伝送する段階と、
をさらに含むことを特徴とする、請求項１８に記載のデータパケット伝送方法。
【請求項２０】
前記選択された伝送電力は、前記伝送電力の範囲から最大伝送電力であることを特徴とする、請求項１９に記載のデータパケット伝送方法。
【請求項２１】
前記伝送電力の範囲は、最大伝送電力及び最小伝送電力を含むことを特徴とする、請求項１８に記載のデータパケット伝送方法。
【請求項２２】
前記初期伝送の伝送フォーマット組合が、前記データパケットを伝送するための伝送フォーマット組合セット（ｔｒａｎｓｐｏｒｔ  ｆｏｒｍａｔ  ｃｏｍｂｉｎａｔｉｏｎ  ｓｅｔ：ＴＦＣＳ）から選択されることを特徴とする、請求項１８に記載のデータパケット伝送方法。
【請求項２３】
前記データパケットは、拡張指定チャネル（Ｅｎｈａｎｃｅｄ  Ｄｅｄｉｃａｔｅｄ  Ｃｈａｎｎｅｌ：Ｅ−ＤＣＨ）パケットであることを特徴とする、請求項１８に記載のデータパケット伝送方法。
【請求項２４】
前記データパケットは、拡張指定チャネル（Ｅｎｈａｎｃｅｄ  Ｄｅｄｉｃａｔｅｄ  Ｃｈａｎｎｅｌ：Ｅ−ＤＣＨ）を通じて伝送されることを特徴とする、請求項１８に記載のデータパケット伝送方法。
【請求項２５】
ＨＡＲＱ（ｈｙｂｒｉｄ  ａｕｔｏｍａｔｉｃ  ｒｅｐｅａｔ  ｒｅｑｕｅｓｔ）を用いる伝送電力に基づくデータパケットを伝送する方法において、
前記データパケットを伝送するために第１伝送電力範囲を受信する段階と、
前記データパケットを伝送するための前記第１伝送電力範囲から伝送電力を選択する段階と、
前記選択された伝送電力及び前記選択された伝送電力に相応する伝送フォーマット組合（ｔｒａｎｓｐｏｒｔ  ｆｏｒｍａｔ  ｃｏｍｂｉｎａｔｉｏｎ：ＴＦＣ）を用いてデータパケットを伝送する段階と、
前記データパケットを再伝送するための第２伝送電力範囲を受信する段階と、
前記データパケットを再伝送するための第２伝送電力範囲から最大伝送電力を選択する段階と、
前記選択された伝送電力及び初期伝送の伝送フォーマット組合を用いて前記データパケットを再伝送するものの、前記初期伝送は前記データパケットを伝送するために用いられる再伝送段階と、
を含む、データパケット伝送方法。
【請求項２６】
ＨＡＲＱ（ｈｙｂｒｉｄ  ａｕｔｏｍａｔｉｃ  ｒｅｐｅａｔ  ｒｅｑｕｅｓｔ）を用いる伝送電力に基づくデータパケットを受信する方法において、
前記データパケットを再伝送するための伝送電力範囲を伝送する段階と、
前記伝送電力範囲から選択された最大伝送電力及び初期伝送の伝送フォーマット組合（ｔｒａｎｓｐｏｒｔ  ｆｏｒｍａｔ  ｃｏｍｂｉｎａｔｉｏｎ：ＴＦＣ）に基づいて再伝送されたデータパケットを受信するものの、前記初期伝送は前記データパケットを伝送するために用いられる受信段階と、
を含む、データパケット受信方法。
【請求項２７】
前記データパケットを伝送するための伝送電力範囲を伝送する段階と、
前記伝送電力範囲から選択された伝送電力及び前記選択された伝送電力に相応する伝送フォーマット組合に基づいて前記再伝送されたデータパケットを受信する段階と、
をさらに含むことを特徴とする、請求項２６に記載のデータパケット受信方法。
【請求項２８】
前記選択された伝送電力は、前記伝送電力範囲の最大伝送電力であることを特徴とする、請求項２７に記載のデータパケット受信方法。
【請求項２９】
前記伝送電力の範囲は、最大伝送電力及び最小伝送電力を含むことを特徴とする、請求項２６に記載のデータパケット受信方法。
【請求項３０】
前記初期伝送の伝送フォーマット組合は、前記データパケットを伝送するための伝送フォーマット組合セット（ｔｒａｎｓｐｏｒｔ  ｆｏｒｍａｔ  ｃｏｍｂｉｎａｔｉｏｎ  ｓｅｔ：ＴＦＣＳ）から選択されることを特徴とする、請求項２６に記載のデータパケット受信方法。
【請求項３１】
前記データパケットは、拡張指定チャネル（Ｅｎｈａｎｃｅｄ  Ｄｅｄｉｃａｔｅｄ  Ｃｈａｎｎｅｌ：Ｅ−ＤＣＨ）パケットであることを特徴とする、請求項２６に記載のデータパケット受信方法。
【請求項３２】
前記データパケットは、拡張指定チャネル（Ｅｎｈａｎｃｅｄ  Ｄｅｄｉｃａｔｅｄ  Ｃｈａｎｎｅｌ：Ｅ−ＤＣＨ）を通じて伝送されることを特徴とする、請求項２６に記載のデータパケット受信方法。
【請求項３３】
ＨＡＲＱ（ｈｙｂｒｉｄ  ａｕｔｏｍａｔｉｃ  ｒｅｐｅａｔ  ｒｅｑｕｅｓｔ）を用いる伝送電力に基づくデータパケットを受信する方法において、
前記データパケットを伝送するための第１伝送電力範囲を伝送する段階と、
前記第１伝送電力範囲から選択された伝送電力及び前記選択された伝送電力に相応する伝送フォーマット組合（ｔｒａｎｓｐｏｒｔ  ｆｏｒｍａｔ  ｃｏｍｂｉｎａｔｉｏｎ：ＴＦＣ）に基づいて前記伝送されたデータパケットを受信する段階と、
前記データパケットを再伝送するための第２伝送電力範囲を伝送する段階と、
前記第２伝送電力範囲から選択された最大伝送電力及び初期伝送の伝送フォーマット組合に基づいて再伝送されたデータパケットを受信するものの、前記初期伝送は前記データパケットを伝送するために用いられる受信段階と、
を含む、データパケット受信方法。
【請求項３４】
データパケットを伝送する方法において、第２データパケットを再伝送するためのスケジューリング情報を受信しない場合、第１データパケットを伝送するために用いられた伝送電力に基づいて前記第２データパケットを再伝送するものの、前記第１データパケット及び第２データパケットは同一であることを特徴とする、データパケット伝送方法。
【請求項３５】
前記第１データパケットを伝送するためのスケジューリング情報を受信するものの、前記スケジューリング情報は、伝送フォーマット組合セット（ｔｒａｎｓｐｏｒｔ  ｆｏｒｍａｔ  ｃｏｍｂｉｎａｔｉｏｎ  ｓｅｔ：ＴＦＣＳ）を含む受信段階と、
前記データパケットを伝送するために伝送電力に相応する伝送フォーマット組合（ｔｒａｎｓｐｏｒｔ  ｆｏｒｍａｔ  ｃｏｍｂｉｎａｔｉｏｎ：ＴＦＣ）を前記伝送フォーマット組合セットから選択する段階と、
をさらに含むことを特徴とする、請求項３４に記載のデータパケット伝送方法。
【請求項３６】
前記第１データパケットが伝送される伝送電力範囲を含むスケジューリング情報を、前記第１データパケットを伝送するために受信する段階と、
前記第１データパケットを伝送するために前記伝送電力範囲から伝送電力を選択するものの、前記選択された伝送電力は伝送フォーマット組合に相応する選択段階と、
をさらに含むことを特徴とする、請求項３４に記載のデータパケット伝送方法。
【請求項３７】
前記データパケットは、拡張指定チャネル（Ｅｎｈａｎｃｅｄ  Ｄｅｄｉｃａｔｅｄ  Ｃｈａｎｎｅｌ（Ｅ−ＤＣＨ）パケットであることを特徴とする、請求項３４に記載のデータパケット伝送方法。
【請求項３８】
前記データパケットは、拡張指定チャネル（Ｅｎｈａｎｃｅｄ  Ｄｅｄｉｃａｔｅｄ  Ｃｈａｎｎｅｌ（Ｅ−ＤＣＨ））を通じて伝送されることを特徴とする、請求項３４に記載のデータパケット伝送方法。
【請求項３９】
データパケットを伝送する方法において、
第１データパケットを伝送するために伝送フォーマット組合セット（ｔｒａｎｓｐｏｒｔ  ｆｏｒｍａｔ  ｃｏｍｂｉｎａｔｉｏｎ  ｓｅｔ：ＴＦＣＳ）を含むスケジューリング情報を受信する段階と、
前記第１データパケットを伝送するための伝送電力に相応する伝送電力組合（ｔｒａｎｓｐｏｒｔ  ｆｏｒｍａｔ  ｃｏｍｂｉｎａｔｉｏｎ：ＴＦＣ）を、前記伝送フォーマット組合セットから選択する段階と、
第２データパケットを再伝送するためのスケジューリング情報が受信されない場合、前記第１データパケットを伝送するために用いられる伝送電力に基づいて前記第２データパケットを再伝送するものの、前記第１データパケットと前記第２データパケットは同一である再伝送段階と、
を含む、データパケット伝送方法。
【請求項４０】
前記データパケットは、拡張指定チャネル（Ｅｎｈａｎｃｅｄ  Ｄｅｄｉｃａｔｅｄ  Ｃｈａｎｎｅｌ（Ｅ−ＤＣＨ））パケットであることを特徴とする、請求項３９に記載のデータパケット伝送方法。
【請求項４１】
前記データパケットは、拡張指定チャネル（Ｅｎｈａｎｃｅｄ  Ｄｅｄｉｃａｔｅｄ  Ｃｈａｎｎｅｌ（Ｅ−ＤＣＨ））を通じて伝送されることを特徴とする、請求項３９に記載のデータパケット伝送方法。
【請求項４２】
データパケットを伝送する方法において、
第１データパケットを伝送するためにスケジューリング情報を受信するものの、前記スケジューリング情報は、前記第１データパケットが伝送される伝送電力範囲を含む受信段階と、
前記第１データパケットを伝送するための伝送電力範囲から伝送電力を選択するものの、前記選択された伝送電力は、伝送フォーマット組合（ｔｒａｎｓｐｏｒｔ  ｆｏｒｍａｔ  ｃｏｍｂｉｎａｔｉｏｎ（ＴＦＣ）に相応する選択段階と、
第２データパケットを再伝送するためのスケジューリング情報が受信されない場合、前記第１データパケットを伝送するために用いられた伝送電力に基づいて前記第２データパケットを再伝送するものの、前記第１データパケットと前記第２データパケットは同一である再伝送段階と、
を含む、データパケット伝送方法。
【請求項４３】
データパケットを受信する方法において、
第２データパケットを再伝送するためのスケジューリング情報が基地局から伝送されない場合、第１データパケットを伝送するために用いられた伝送電力に基づいて再伝送された前記第２データパケットを受信する段階を含むものの、前記第１データパケット及び第２データパケットは同一であることを特徴とする、データパケット受信方法。
【請求項４４】
データパケットを伝送する方法において、
前記データパケットを伝送するために用いられる伝送電力と前記データパケットを再伝送するために用いられる最大伝送電力の差が有義である場合、前記データパケットを再伝送するためのスケジューリング情報に提供される伝送電力によって前記データパケットを再伝送する段階を含む、データパケット伝送方法。
【請求項４５】
前記スケジューリング情報は、伝送電力にそれぞれ相応する一つ以上の伝送フォーマット組合（ｔｒａｎｓｐｏｒｔ  ｆｏｒｍａｔ  ｃｏｍｂｉｎａｔｉｏｎ：ＴＦＣ）をさらに含む伝送フォーマット組合セット（ｔｒａｎｓｐｏｒｔ  ｆｏｒｍａｔ  ｃｏｍｂｉｎａｔｉｏｎ  ｓｅｔ：ＴＦＣＳ）を含むことを特徴とする、請求項４４に記載のデータパケット伝送方法。
【請求項４６】
前記スケジューリング情報は、伝送フォーマット組合（ｔｒａｎｓｐｏｒｔ  ｆｏｒｍａｔ  ｃｏｍｂｉｎａｔｉｏｎ：ＴＦＣ）に相応して伝送電力範囲から選択される伝送電力を含むことを特徴とする、請求項４４に記載のデータパケット伝送方法。
【請求項４７】
データパケットを受信する方法において、
前記データパケットを伝送するために用いられる伝送電力と前記データパケットを再伝送するために用いられる最大伝送電力の差が、既設定された臨界値を超過する場合、前記データパケットを再伝送するためのスケジューリング情報に提供される伝送電力によって再伝送されたデータパケットを受信する段階を含む、データパケット受信方法。
【請求項４８】
前記スケジューリング情報は、伝送電力にそれぞれ相応する一つ以上の伝送フォーマット組合（ｔｒａｎｓｐｏｒｔ  ｆｏｒｍａｔ  ｃｏｍｂｉｎａｔｉｏｎ：ＴＦＣ）をさらに含む伝送フォーマット組合セット（ｔｒａｎｓｐｏｒｔ  ｆｏｒｍａｔ  ｃｏｍｂｉｎａｔｉｏｎ  ｓｅｔ：ＴＦＣＳ）を含むことを特徴とする、請求項４７に記載のデータパケット受信方法。
【請求項４９】
前記スケジューリング情報は、伝送フォーマット組合（ｔｒａｎｓｐｏｒｔ  ｆｏｒｍａｔ  ｃｏｍｂｉｎａｔｉｏｎ：ＴＦＣ）に相応して伝送電力範囲から選択される伝送電力を含むことを特徴とする、請求項４７に記載のデータパケット受信方法。
【発明の詳細な説明】
【技術分野】
【０００１】
本発明は、伝送電力を制御する方法に係り、より具体的には、上り回線指定チャネルで再伝送パケットのための伝送電力を制御する方法に関する。
【背景技術】
【０００２】
３世代パートナーシッププロジェクト（３ｒｄ  Ｇｅｎｅｒａｔｉｏｎ  Ｐａｒｔｎｅｒｓｈｉｐ  Ｐｒｏｊｅｃｔ：３ＧＰＰ）広帯域コード分割多重接続（Ｗｉｄｅｂａｎｄ  Ｃｏｄｅ  Ｄｉｖｉｓｉｏｎ  Ｍｕｌｔｉｐｌｅ  Ａｃｃｅｓｓ：ＷＣＤＭＡ）において上り回線拡張指定チャネル（ｅｎｈａｎｃｅｄ  ｄｅｄｉｃａｔｅｄ  ｃｈａｎｎｅｌ：Ｅ−ＤＣＨ）を通じて伝送されるデータは、拡張指定物理チャネル（ｅｎｈａｎｃｅｄ  ｄｅｄｉｃａｔｅｄ  ｐｈｙｓｉｃａｌ  ｄａｔａ  ｃｈａｎｎｅｌ：Ｅ−ＤＰＤＣＨ）を通じて伝送される前に、物理チャネルでチャネルコーディング及び多重化が行われる。Ｅ−ＤＰＤＣＨフレームにおいて複数の指定チャネルデータは多重化された後に伝送されることができ、Ｅ−ＤＣＨデータがＥ−ＤＰＤＣＨに多重化されたフォーマットは、伝送フォーマット組合（ｔｒａｎｓｐｏｒｔ  ｆｏｒｍａｔ  ｃｏｍｂｉｎａｔｉｏｎ：ＴＦＣ）と称することができる。
【０００３】
図１は、チャネルコーディング及びＥ−ＤＣＨデータをＥ−ＤＰＤＣＨに多重化する過程を示す一例である。物理階層においてＥ−ＤＰＤＣＨフレームは指定物理チャネル（ｄｅｄｉｃａｔｅｄ  ｐｈｙｓｉｃａｌ  ｃｏｎｔｒｏｌ  ｃｈａｎｎｅｌ：ＤＰＣＣＨ）とＩ／Ｑ多重化される。そして、多重化されたＥ−ＤＰＤＣＨ及びＤＰＣＣＨは伝送される。ＤＰＣＣＨの伝送は、ＤＰＤＣＨのＴＦＣ情報、上り回線電力制御及びデータ復調のためのパイロット信号を含む多様な制御情報を含む。
【０００４】
上り回線ＤＰＤＣＨの伝送電力は、一緒に伝送される上り回線ＤＰＣＣＨ伝送電力に対する相対的な値で決定される。３ＧＰＰ  ＷＣＤＭＡ標準では、ＤＰＣＣＨとＤＰＤＣＨの送信電力比率はβ−因子（β−ｆａｃｔｏｒ）で定義されている。さらに、β−因子は、ＤＰＤＣＨの送信振幅（ａｍｐｌｉｔｕｄｅ）を表すβｅｄと、ＤＰＣＣＨの送信振幅を表すβｃとに区分される。このときに、ＤＰＤＣＨ送信電力のＤＰＣＣＨ送信電力に対する比率は、（βｅｄ／βｃ）２によって決定される。現在標準でβ−因子値（βｅｄ／βｃ）は、下記の２通りの方法で決定されることができる。
【０００５】
その一つの方法は、上位階層で可能な各ＴＦＣごとにβ−因子値を定める方式である。もう一つの方法は、上位階層で基準ＴＦＣに対するβ−因子値のみを定め、その他のＴＦＣに対しては、物理階層で前記β−因子値とその他の情報を組み合わせて計算しβ−因子値を決定する方式である。これらの両方式とも各ＴＦＣによってβ−因子値が準−静的（ｓｅｍｉ−ｓｔａｔｉｃ）に定められることになる。したがって、ＴＦＣによってＤＰＣＣＨに対するＤＰＤＣＨの相対的な送信電力が決定される。前記β−因子及び前記ＴＦＣからβ−因子値を算出する方法は、３ＧＰＰ標準に詳細に記載されている。
【０００６】
上り回線ＤＣＨに対して伝送が許容されるＴＦＣは、基本的に上位階層より定められる。ＴＦＣの集合をＴＦＣＳ（ＴＦＣ  Ｓｅｔ）といい、上位階層より定められたＴＦＣＳをＴＦＣＳＲＮＣとすると、移動局（Ｕｓｅｒ  Ｅｑｕｉｐｍｅｎｔ；以下‘ＵＥ’という。）の物理階層は、ＴＦＣＳＲＮＣに属する各ＴＦＣに対して、該当するβ−因子値とＵＥの最大送信電力などを考慮してそのＴＦＣが実際に伝送可能なＴＦＣなのか否かを持続して更新するようになる。このようにして伝送可能なものと判定されたＴＦＣの集合をＴＦＣＳＵＥとすると、ＵＥは、ＴＦＣＳＲＮＣとＴＦＣＳＵＥの両方に属するＴＦＣにのみ上り回線ＤＣＨ伝送が可能になる。
【０００７】
現在、３ＧＰＰ  ＷＣＤＭＡシステム標準では、既存の上り回線ＤＣＨに類似するが、上り回線パケット伝送効率を向上させるための技術が追加される上り回線Ｅ−ＤＣＨが論議されている。上り回線伝送に対する基地局（Ｎｏｄｅ  Ｂ）スケジューリングはＥ−ＤＣＨへ適用が考慮されている。
【０００８】
現在論議中のＮｏｄｅ  Ｂスケジューリング技術において、Ｎｏｄｅ  Ｂは、上り回線干渉量が適切な水準に維持されるように、各ＵＥに対して上り回線Ｅ−ＤＣＨで伝送可能なＴＦＣＳを持続的に制御する。例えば、現在上り回線干渉量が相対的に小さい場合には、大きい送信電力を必要とするＴＦＣの伝送を許容し、上り回線干渉量が相対的に大きい場合には、大きい送信電力を必要とするＴＦＣの伝送を禁止することによって上り回線干渉量を適切な水準に維持できる。一方、特定時点で特定ＵＥには大きい送信電力を必要とするＴＦＣの伝送を許容し、他のＵＥには大きい送信電力を必要とするＴＦＣの伝送を禁止することによって、上り回線干渉量が瞬間的に大きく増加する状況を減らすことができる。
【０００９】
また、基地局（Ｎｏｄｅ  Ｂ）は、各ＵＥの伝送可能なＴＦＣＳを制御する代わりに、各ＵＥの許容送信電力を直接的に制御しても良い。すなわち、基地局は、任意の時点で、各ＵＥが上り回線で送信するＥ−ＤＰＤＣＨ送信電力、または、総送信電力のＤＰＣＣＨ送信電力に対する比率が特定値を越えないように、各ＵＥに対するスケジューリングを行うことができる。この場合に、ＵＥは、各上り回線Ｅ−ＤＣＨ伝送時点で、Ｎｏｄｅ  Ｂが許容した送信電力内で伝送できるＴＦＣＳを、β−因子を用いて導出することができる。
【００１０】
したがって、Ｅ−ＤＣＨに対しては、ＴＦＣＳＲＮＣ、ＴＦＣＳＵＥ及びＴＦＣＳＮｏｄｅＢが存在する。より具体的に、前記のように、上位階層で伝送を許容したＴＦＣＳＲＮＣと物理階層で管理する伝送可能なＴＦＣＳＵＥ、そして、Ｎｏｄｅ  Ｂで制御する伝送許容されたＴＦＣＳＮｏｄｅＢが存在する。ＵＥは、任意の時点で以上の３つのＴＦＣＳに全て含まれるＴＦＣ形式のみでＥ−ＤＣＨを通じてデータを伝送するようにすることができる。
【００１１】
物理階層におけるＨＡＲＱはＥ−ＤＣＨへ適用が考慮されている。ＨＡＲＱ技術で、上り回線Ｅ−ＤＣＨで伝送されたパケットに対してデコーディング成否を基地局（Ｎｏｄｅ  Ｂ）の物理階層がＡＣＫ／ＮＡＣＫフィードバックを通じてＵＥに知らせる。一般の自動再伝送要請（Ａｔｕｏｍａｔｉｃ  Ｒｅｐｅａｔ  Ｒｅｑｕｅｓｔ；以下‘ＡＲＱ’）技術を適用する場合、基地局は、以前にデコーディングに失敗したパケットを捨て、再伝送されたパケットに対して新しくデコーディングを行う。しかし、ＨＡＲＱ技術を適用する場合、Ｎｏｄｅ  Ｂは、以前にデコーディングに失敗したパケットを受信バッファーに保存しており、再伝送パケットを受信するとこれを、以前に貯蔵しておいたデコーディングに失敗したパケットと様々な方式で結合したのちデコーディングを行い、再伝送時のパケットに対するデコーディング性能を向上させるようになる。上記Ｈ−ＡＲＱ方式は、３ＧＰＰ標準に詳細に記載されている。
【００１２】
上記のように、従来技術による上り回線ＤＰＤＣＨの送信電力は、ＤＣＨデータがＤＰＤＣＨにマルチプレクシングされて送信されるＴＦＣによってＤＰＣＣＨに相対的な値に準−持続的に固定される。Ｅ−ＤＣＨパケットを再伝送する時にもＴＦＣは最初伝送時のＴＦＣと同一なので、再伝送のためのβ−因子値も変わらず、よって、この方式をＥ−ＤＣＨ伝送にそのまま適用すると、Ｅ−ＤＣＨパケットの伝送される上り回線物理チャネルであるＥ−ＤＰＤＣＨのＤＰＣＣＨに対する送信電力比は、パケット再伝送時にも最初伝送時と同じ値に固定されるようになる。
【００１３】
しかしながら、ＨＡＲＱの適用される上り回線Ｅ−ＤＣＨパケット伝送を考慮する時に、Ｎｏｄｅ  Ｂでデコーディングに失敗して再伝送されたＥ−ＤＣＨパケットは、以前にデコーディングに失敗したパケットと結合されてデコーディングされるので、以前パケットがどの信号対雑音比で受信されたかによって再伝送パケットの送信に必要な電力は異なることがある。例えば、以前にデコーディングに失敗したパケットが６ｄＢの信号対雑音比で受信され、最終的にデコーディングに成功するための信号対雑音比が７ｄＢであると、そのパケットの再伝送は、７−６＝１ｄＢの受信信号対雑音比のみ保障できるように送信電力を下げて伝送することができる。
【００１４】
また、逆に、送信電力を上げねばならない例も可能である。しかし、パケットを受信する方はＮｏｄｅ  Ｂであるため、ＵＥは、再伝送電力をどの水準に設定すると最適になるかがわからない。また、上り回線で急に多くのパケットが伝送されて多くの再伝送が同時に起きてシステムが不安になる場合に、基地局が再伝送を禁止させたり再伝送パケットの電力を下げたりしてシステムを安定化させねばならないという場合も生じる。
【発明の開示】
【発明が解決しようとする課題】
【００１５】
したがって、本発明は、前記従来技術の限界及び不利な点に起因する１つ以上の問題を実質的に解決するための、上り回線指定チャネルで再伝送パケットのための伝送電力を制御する方法に関する。
【００１６】
本発明の目的は、ＨＡＲＱ方式を用いて伝送フォーマット組合セットに基づくデータパケットを伝送する方法を提供することにある。
【００１７】
本発明の他の目的は、ＨＡＲＱ方式を用いて伝送電力比率に基づくデータパケットを伝送する方法を提供することにある。
【００１８】
本発明のさらに他の目的は、ＨＡＲＱ方式を用いて伝送フォーマット組合セットに基づくデータパケットを受信する方法を提供することにある。
【００１９】
本発明のさらに他の目的は、ＨＡＲＱ方式を用いて伝送電力比率に基づくデータパケットを受信する方法を提供することにある。
【００２０】
本発明のさらに他の目的は、データパケットを伝送する方法を提供することにある。
【００２１】
本発明の追加的な利点、目的及び特徴は、一部は以下の詳細な説明で説明され、一部は以下説明に基づいて当該技術分野における通常の知識を持つ者にとっては明白なもので、本発明の実行によって明らかになるであろう。上記発明の目的、他の利点は、添付の図面の他、ここに作成された説明及び請求項で指摘された構造によって実現され、得られることができる。
【課題を解決するための手段】
【００２２】
以上の目的及び他の利点を得るために、そして、発明の目的に応じてここに具体化され且つ概略説明される、ＨＡＲＱ（ｈｙｂｒｉｄ  ａｕｔｏｍａｔｉｃ  ｒｅｐｅａｔ  ｒｅｑｕｅｓｔ）を用いて伝送フォーマット組合セット（ｔｒａｎｓｐｏｒｔ  ｆｏｒｍａｔ  ｃｏｍｂｉｎａｔｉｏｎ  ｓｅｔ：ＴＦＣＳ）に基づくデータパケットを伝送する方法において、使用者機器は、データパケットを再伝送するための伝送フォーマット組合（ｔｒａｎｓｐｏｒｔ  ｆｏｒｍａｔ  ｃｏｍｂｉｎａｔｉｏｎ：ＴＦＣ）を選択するために、基地局から前記伝送フォーマット組合セットを受信する。そして、前記伝送フォーマット組合セットから、前記データパケットが再伝送される最大伝送電力に相応する伝送フォーマット組合を選択する。そして、初期伝送の伝送フォーマット組合及び前記伝送フォーマット組合セットで前記最大伝送電力を持つ前記伝送フォーマット組合に相応する伝送電力を用いて前記データパケットを再伝送する。
【００２３】
本発明の他の様態で、ＨＡＲＱ（ｈｙｂｒｉｄ  ａｕｔｏｍａｔｉｃ  ｒｅｐｅａｔ  ｒｅｑｕｅｓｔ）を用いてデータパケットを伝送するために伝送フォーマット組合セット（ｔｒａｎｓｐｏｒｔ  ｆｏｒｍａｔ  ｃｏｍｂｉｎａｔｉｏｎ  ｓｅｔ：ＴＦＣＳ）をスケジューリングする方法において、ＵＥは、前記データパケットを伝送するための伝送フォーマット組合（ｔｒａｎｓｐｏｒｔ  ｆｏｒｍａｔ  ｃｏｍｂｉｎａｔｉｏｎ：ＴＦＣ）を選択するために、基地局から第１伝送フォーマット組合セットを受信する。そして、前記データパケットの伝送される伝送電力に相応する伝送フォーマット組合を、前記第１伝送フォーマット組合セットから選択する。前記選択された伝送フォーマット組合に相応する伝送電力を用いて前記データパケットを伝送する。そして、前記データパケットを再伝送するための伝送フォーマット組合を選択するために、第２伝送フォーマット組合セットを受信する。そして、前記データパケットの再伝送される最大伝送電力に相応する伝送フォーマット組合を、前記第２伝送フォーマット組合セットから選択する。最後に、前記第１伝送の伝送フォーマット組合及び前記第２伝送フォーマット組合セットの最大伝送電力を持つ伝送フォーマット組合に相応する伝送電力を用いて前記データパケットを伝送する。
【００２４】
本発明のさらに他の様態で、ＨＡＲＱ（ｈｙｂｒｉｄ  ａｕｔｏｍａｔｉｃ  ｒｅｐｅａｔ  ｒｅｑｕｅｓｔ）を用いて伝送フォーマット組合セット（ｔｒａｎｓｐｏｒｔ  ｆｏｒｍａｔ  ｃｏｍｂｉｎａｔｉｏｎ  ｓｅｔ：ＴＦＣＳ）に基づくデータパケットを受信する方法において、各使用者機器に第２伝送フォーマット組合セットを伝送するものの、前記第２伝送フォーマット組合セットは、前記データパケットを再伝送するための伝送フォーマット組合（ｔｒａｎｓｐｏｒｔ  ｆｏｒｍａｔ  ｃｏｍｂｉｎａｔｉｏｎ：ＴＦＣ）を決定するために前記使用者機器で用いられ、前記伝送フォーマット組合は、前記データパケットが再伝送される伝送電力に相応することを特徴とする。そして、第１伝送と同じ伝送フォーマット組合及び前記第２伝送フォーマット組合セットの伝送フォーマット組合に相応する伝送電力を持つ前記再伝送されるデータパケットを受信する。
【００２５】
本発明のさらに他の様態で、ＨＡＲＱ（ｈｙｂｒｉｄ  ａｕｔｏｍａｔｉｃ  ｒｅｐｅａｔ  ｒｅｑｕｅｓｔ）を用いるデータパケット伝送のために伝送フォーマット組合セット（ｔｒａｎｓｐｏｒｔ  ｆｏｒｍａｔ  ｃｏｍｂｉｎａｔｉｏｎ  ｓｅｔ：ＴＦＣＳ）をスケジューリングする方法において、使用者機器が前記データパケットを伝送するために伝送フォーマット組合（ｔｒａｎｓｐｏｒｔ  ｆｏｒｍａｔ  ｃｏｍｂｉｎａｔｉｏｎ：ＴＦＣ）を決定するように各前記使用者機器に第１伝送フォーマット組合セットを伝送する。前記使用者機器から伝送された前記データパケットをデコーディングする。また、前記使用者機器が前記データパケットを再伝送するように要請するためにＮＡＣＫ（Ｎｅｇａｔｉｖｅ  Ａｃｋｎｏｗｌｅｄｇｍｅｎｔ）信号を伝送する。そして、各前記使用者機器に第２伝送フォーマット組合セットを伝送するものの、前記第２伝送フォーマット組合セットは、前記使用者機器が前記データパケットを再伝送するための伝送フォーマット組合を決定するために用いられ、前記伝送フォーマット組合は、前記データパケットが再伝送される伝送電力に相応することを特徴とする。最後に、初期伝送と同じ伝送フォーマット組合及び前記第２伝送フォーマット組合セットの伝送フォーマット組合に相応する伝送電力を持つ再伝送されたデータパケットを受信する。
【００２６】
本発明のさらに他の様態で、ＨＡＲＱ（ｈｙｂｒｉｄ  ａｕｔｏｍａｔｉｃ  ｒｅｐｅａｔ  ｒｅｑｕｅｓｔ）を用いて伝送電力に基づくデータパケットを伝送する方法において、使用者機器は、前記データパケットを再伝送するための伝送電力の範囲を受信する。そして、前記データパケットを再伝送するための伝送電力の範囲から最大伝送電力を選択する。また、初期伝送の伝送フォーマット組合（ｔｒａｎｓｐｏｒｔ  ｆｏｒｍａｔ  ｃｏｍｂｉｎａｔｉｏｎ：ＴＦＣ）及び前記選択された伝送電力を用いて前記データパケットを再伝送するものの、前記初期伝送は前記データパケットを伝送するために用いられる。
【００２７】
本発明のさらに他の様態で、ＨＡＲＱ（ｈｙｂｒｉｄ  ａｕｔｏｍａｔｉｃ  ｒｅｐｅａｔ  ｒｅｑｕｅｓｔ）を用いる伝送電力に基づくデータパケットを伝送する方法において、前記データパケットを伝送するために第１伝送電力範囲を受信する。そして、前記データパケットを伝送するための前記第１伝送電力範囲から伝送電力を選択する。前記選択された伝送電力及び前記選択された伝送電力に相応する伝送フォーマット組合（ｔｒａｎｓｐｏｒｔ  ｆｏｒｍａｔ  ｃｏｍｂｉｎａｔｉｏｎ：ＴＦＣ）を用いてデータパケットを伝送し、前記データパケットを再伝送するための第２伝送電力範囲を受信する。また、前記データパケットを再伝送するための第２伝送電力範囲から最大伝送電力を選択する。最後に、前記選択された伝送電力及び初期伝送の伝送フォーマット組合を用いて前記データパケットを再伝送するものの、前記初期伝送は前記データパケットを伝送するために用いられる。
【００２８】
本発明のさらに他の様態で、ＨＡＲＱ（ｈｙｂｒｉｄ  ａｕｔｏｍａｔｉｃ  ｒｅｐｅａｔ  ｒｅｑｕｅｓｔ）を用いる伝送電力に基づくデータパケットを受信する方法において、前記データパケットを再伝送するための伝送電力範囲を伝送し、前記伝送電力範囲から選択された最大伝送電力及び初期伝送の伝送フォーマット組合（ｔｒａｎｓｐｏｒｔ  ｆｏｒｍａｔ  ｃｏｍｂｉｎａｔｉｏｎ：ＴＦＣ）に基づいて再伝送されたデータパケットを受信するものの、前記初期伝送は、前記データパケットを伝送するために用いられる。
【００２９】
本発明のさらに他の様態で、データパケットを伝送する方法において、第２データパケットを再伝送するためのスケジューリング情報が受信されない場合、第１データパケットを伝送するために用いられた伝送電力に基づいて前記第２データパケットを再伝送する。そして、前記第１データパケット及び第２データパケットは同一である。
【００３０】
本発明のさらに他の様態で、データパケットを伝送する方法において、第１データパケットを伝送するために、伝送フォーマット組合セット（ｔｒａｎｓｐｏｒｔ  ｆｏｒｍａｔ  ｃｏｍｂｉｎａｔｉｏｎ  ｓｅｔ：ＴＦＣＳ）を含むスケジューリング情報を受信する。そして、前記第１データパケットを伝送するための伝送電力に相応する伝送電力組合（ｔｒａｎｓｐｏｒｔ  ｆｏｒｍａｔ  ｃｏｍｂｉｎａｔｉｏｎ：ＴＦＣ）を、前記伝送フォーマット組合セットから選択する。最後に、第２データパケットを再伝送するためのスケジューリング情報が受信されない場合、前記第１データパケットを伝送するために用いられる伝送電力に基づいて前記第２データパケットを再伝送する。前記第１データパケットと前記第２データパケットは同一である。
【００３１】
本発明のさらに他の様態で、データパケットを伝送する方法において、第１データパケットを伝送するためにスケジューリング情報を受信する。前記スケジューリング情報は、前記第１データパケットが伝送される伝送電力範囲を含む。そして、前記第１データパケットを伝送するための伝送電力範囲から伝送電力を選択する。前記選択された伝送電力は、伝送フォーマット組合（ｔｒａｎｓｐｏｒｔ  ｆｏｒｍａｔ  ｃｏｍｂｉｎａｔｉｏｎ（ＴＦＣ）に相応する。最後に、第２データパケットを再伝送するためのスケジューリング情報が受信されない場合、前記第１データパケットを伝送するために用いられた伝送電力に基づいて前記第２データパケットを再伝送する。前記第１データパケットと前記第２データパケットは同一である。
【００３２】
本発明の以上の、そして他の目的、特徴、様相及び利点は、添付の図面に基づいて行われる以下の本発明の詳細な説明からより明確になる。以上の一般的な説明及び以下の本発明の詳細な説明はいずれも例示的で且つ説明的なもので、請求範囲によって発明の追加的な説明が提供されることと理解しなければならない。
【発明の効果】
【００３３】
本発明は、無線通信システム及び広帯域無線接続システムなどに適用されることができる。
【発明を実施するための最良の形態】
【００３４】
以下、本発明の好ましい実施形態、添付された図面に表された例について詳細に説明する。図面中、同一の構成要素には可能な限り同一の参照番号を共通使用するものとする。
【００３５】
本発明の一実施例は、上り回線Ｅ−ＤＣＨパケットを再伝送する伝送電力を制御することに関する。そして、Ｎｏｄｅ  Ｂは、伝送フォーマット組合セット（ＴＦＣＳ）のためのスケジューリングを提供する。ここで、ＴＦＣは、データレートまたは変調コーディング組合と関連する。
【００３６】
本実施例では、各ＵＥの上り回線Ｅ−ＤＣＨパケット伝送は、基地局（Ｎｏｄｅ  Ｂ）が各ＵＥに伝送するＴＦＣＳＮｏｄｅＢによって制御されると仮定する。この時に再伝送されるＥ−ＤＣＨパケットのＴＦＣは、以前に伝送されたＥ−ＤＣＨパケットのＴＦＣと同一なので、基地局は、再伝送タイミングのＵＥにＴＦＣＳＮｏｄｅＢを知らせる必要がない。しかし、本発明では、基地局が再伝送タイミングのＵＥにもＴＦＣＳＮｏｄｅＢを知らせ、ＵＥがこの命令を再伝送パケットの送信電力設定に使用するようにする。
【００３７】
上記のような方法において、再伝送でないＥ−ＤＣＨパケット伝送時に、ＵＥは、既存技術で述べたように、基地局が許容したＴＦＣＳＮｏｄｅＢ範囲内で適切なＥ−ＤＣＨ  ＴＦＣを選択し、該当のＴＦＣに相応する（βｅｄ、βｃ）値を用いてＤＰＤＣＨ送信電力を決定し、上り回線伝送を行う。前記βｅｄ、βｃはそれぞれ、Ｅ−ＤＰＤＣＨとＤＰＣＣＨに対するβ−因子を意味する。その後、ＵＥは、選択されたＴＦＣに相応するＥ−ＤＰＤＣＨとＤＰＣＣＨ間の伝送電力比率によってＥ−ＤＣＨパケットを伝送する。
【００３８】
基地局が伝送されたデータパケットを受信すると、データが成功的に読み取られるかを確認するためにデコーディングを行う。もし、データパケットが成功的にデコーディングされないと、基地局はＵＥに再伝送を要請する。Ｅ−ＤＣＨパケットの再伝送が発生する場合、再伝送されるＥ−ＤＣＨパケットに相応するＴＦＣは、最初または初期伝送されたＥ−ＤＣＨパケットと関連したＴＦＣと同一である。ここで、ＴＦＣが再伝送時間にＴＦＣＳＮｏｄｅＢによるＴＦＣＳ範囲より長くない場合であっても、ＵＥは、初期伝送されたＥ−ＤＣＨパケットに相応するＴＦＣを用いてＥ−ＤＣＨパケットを再伝送できる。上述の如く、データパケットが基地局に受信されたが、成功的にデコーディングされずに再伝送が行われる。この場合、基地局は、ＵＥにＮＡＣＫ信号を伝送することができる。この時に、本発明で提案する方式では、ＵＥのＥ−ＤＣＨ再伝送パケットの送信電力決定に使用する（βｅｄ、βｃ）値を、ＴＦＣによって定めることではなく、次のような方式によって定めることができる。ＴＦＣＳＮｏｄｅＢが含むＴＦＣの（βｄ（Ｅ−ＤＰＤＣＨ）、βｃ）値の中、βｅｄ／βｃが最大となる値を（βｅｄ，ＭＡＸ、βｃ，ＭＡＸ）とする時に（βｅｄ，ＭＡＸ、βｃ，ＭＡＸ）を適用して送信電力を決定する。すなわち、ＴＦＣＳＮｏｄｅＢが含むＴＦＣのうち、最大送信電力を持つＴＦＣの送信電力と送信電力を決定する。したがって、再伝送パケットのβｅｄ／βｃ比率は、以前伝送に比べて小さいくなるか、または、大きくなる。特に、最初または初期伝送の電力比率βｅｄ／βｃに比べて電力比率βｄ（Ｅ−ＤＰＤＣＨ）／βｃがより大きい場合には、最初または初期伝送のための（βｅｄ、βｃ）値を使用することができる。言い換えると、Ｅ−ＤＣＨパケットは、初期伝送よりも小さい伝送電力で再伝送されることができる。再伝送のための新しいＴＦＣ範囲は、再伝送時点にＴＦＣＳＮｏｄｅＢによって設定される。ここで、新しい範囲は、最大伝送電力に相応するＴＦＣを含む。最大伝送電力は、初期伝送電力よりも小さい、または、等しい。しかし、基地局は、初期伝送のＥ−ＤＣＨパケット情報を維持するので、より小さい伝送電力で受信されたＥ−ＤＣＨパケットをデコーディングすることができる。
【００３９】
再伝送時点のＴＦＣＳＮｏｄｅＢにかかわらず、Ｅ−ＤＣＨパケットの再伝送伝送電力（または伝送電力比率βｅｄ／βｃ）は、初期Ｅ−ＤＣＨパケットに相応するＴＦＣと同一だった。例えば、第１データパケット伝送の伝送電力が７ｄＢで、最大伝送電力が再伝送時点に基地局で４ｄＢと設定されると、データパケットは、再伝送時点に基地局で４ｄＢと設定される最大伝送電力にもかかわらず、７ｄＢで再伝送されることができる。
【００４０】
本発明の他の実施例は、基地局がＥ−ＤＣＨ伝送のためのＥ−ＤＰＤＣＨ最大送信電力（または、制御チャネルと関連する電力比率）のスケジューリングを提供することと関連する。本実施例では、各ＵＥの上り回線Ｅ−ＤＣＨパケット伝送は、基地局が各ＵＥに伝送する許容送信電力によって制御されると仮定する。言い換えると、基地局は、ＵＥがＥ−ＤＣＨパケットを伝送する伝送電力範囲を提供する。伝送電力範囲は、データパケットを伝送するようにＵＥが選択できる最大伝送電力を含む。この時に再伝送されるＥ−ＤＣＨパケットは、以前に伝送されたＥ−ＤＣＨパケットと同一なので、再伝送されるＥ−ＤＣＨパケットのＴＦＣは、以前に伝送されたＥ−ＤＣＨパケットのＴＦＣと同一である。基地局は、再伝送タイミングのＵＥに許容送信電力を知らせる必要がない。しかし、本発明では再伝送タイミングのＵＥにも基地局が最大伝送電力（または、最大伝送電力比率βｅｄ／βｃ）を知らせ、ＵＥが最大伝送電力（または、最大伝送電力比率βｅｄ／βｃ）を再伝送パケットの送信電力設定に使用するようにする。再伝送でないＥ−ＤＣＨパケットを伝送する場合、ＵＥは（βｅｄ、βｃ）を用いて各Ｅ−ＤＣＨのＴＦＣを伝送するために必要な伝送電力を決定する。伝送電力を決定し、ＵＥは基地局によって設定される伝送レート範囲内の伝送レートに相応するＴＦＣを選択し、伝送する伝送電力を決定するために選択されたＴＦＣに相応する（βｅｄ、βｃ）を使用する。したがって、ＵＥは、決定された伝送電力によってＥ−ＤＣＨパケットを伝送する。
【００４１】
Ｅ−ＤＣＨパケットを再伝送する時、ＵＥは、基地局が設定した伝送電力セット範囲の伝送電力に相応する最大伝送電力比率βｅｄ／βｃを持つ最大（βｅｄ、βｃ）値を選択する。言い換えると、最大（βｅｄ、βｃ）値は、基地局が設定した最大伝送比率をＵＥが超過しないように選択される。また、βｅｄ、βｃの比率は、初期伝送時に比べて小さくなるか、または、大きくなりうる。特に、最大電力比率が最初または初期伝送の電力比率（βｅｄ、βｃ）よりも大きい場合、最初または初期伝送の（βｅｄ、βｃ）値が用いられることができる。
【００４２】
本発明の他の実施例で、基地局は、データパケットを再伝送する伝送電力をスケジューリングする。基地局は、各ＵＥのパケット再伝送タイミングにＴＦＣＳＮｏｄｅＢや最大許容送信電力を伝達することによって、再伝送パケットの送信電力を調整することができる。しかし、この場合に、基地局は各ＵＥの最初伝送時だけでなく、再伝送時にもスケジューリング命令を伝送しなければならないので、スケジューリング命令伝送回数が増える負担がある。したがって、スケジューリング命令伝送回数を低減するために、次のような方法で伝送パケットに対するＮｏｄｅ  Ｂスケジューリングを運営すれば良い。
【００４３】
第一の方法によれば、ＵＥは、再伝送時に基地局からスケジューリング命令語を受信しなくても良い。スケジューリング命令語を受信しない場合では、ＵＥは初期伝送時に伝送電力と同じ伝送電力を使用すると良い。大低、ＵＥは、上位階層からあらかじめ提供されるオフセットを用いて初期伝送電力から若干修正された伝送電力を使用することができる。したがって、再伝送パケットは、同じ伝送電力またはオフセットを用いて修正された伝送電力のいずれか一つを用いて伝送されることができる。
【００４４】
第二の方法では、最初の方法と違い、ＵＥは再伝送時点に基地局からスケジューリング命令を受信することができる。この場合、ＵＥは、スケジューリング命令によって再伝送パケットを伝送する。ここで、基地局が必要によって再伝送時点の特定量だけ伝送電力を変更する場合、基地局はＵＥにスケジューリング命令を伝送する。特定量は、有義または無意味である。例えば、初期伝送電力と再伝送電力との差がない場合、基地局はＵＥにスケジューリング命令を伝送しなくて良い。しかし、初期伝送電力と再伝送電力との差がある場合、基地局は、ＵＥが異なる伝送電力で再伝送できるようにスケジューリング命令を伝送することができる。スケジューリング命令伝送を制御して余分のスケジューリング伝送を防止することができる。
【００４５】
本発明の他の実施例で、ＵＥは、ＴＦＣＳを制御できる。Ｅ−ＤＣＨ再伝送パケットに対しては、ＵＥが管理する伝送可能ＴＦＣ集合であるＴＦＣＳＵＥを送信電力決定に考慮しない。すなわち、再伝送するパケットのＴＦＣがＴＦＣＳＵＥに含まれなくても、ＵＥはそのパケットを伝送することができる。その代わりに、ＵＥは、再伝送パケットに対しては、送信電力がＵＥの最大送信電力を越えない範囲内で送信電力を決定する。
【００４６】
本発明の思想または範囲を逸脱しない限度内で本発明を様々に修正及び変更できることは、当業者にとって明白である。したがって、本発明は、添付する特許請求の範囲及びその均等範囲内で提供される修正及び変更を含むことは無論である。
【図面の簡単な説明】
【００４７】
【図１】チャネルコーディング及びＥ−ＤＣＨデータをＥ−ＤＰＤＣＨに多重化する過程を示す一例である。
【図１】
2008514104.tif 000003
【国際調査報告】
2008514104.tif 000004
2008514104.tif 000005